(57)【要約】【課題】洗浄する食器と同じ場所に冷凍食品を置き、おいしく解凍することができる食器洗浄機を提供すること。【解決手段】食器を収納する食器収納本体２に暖房給湯器３０で加熱された給湯水を供給して食器を洗浄する食器洗浄機１Ａに、食器を洗浄する食器洗浄モードを設定する食器洗浄モード設定手段１５ａと、食品を解凍させる食品解凍モードを設定する食品解凍モード設定手段１５ｂと、食器収納本体２に貯めた給湯水を汲み上げて噴出する給湯水噴出手段２５と、食器収納本体２に貯めた給湯水を加熱するヒータ２６と、食品解凍モードが設定された場合に、ヒータ２６により給湯水を食品解凍設定温度に加熱させ、給湯水噴出手段２５を駆動させる制御手段１１を設ける。【選択図】 図１
2015084815.tif 000002
【特許請求の範囲】
【請求項１】
食器を収納する食器収納本体に熱源で加熱された給湯水を供給して前記食器を洗浄する食器洗浄機において、
食器を洗浄する食器洗浄モードを設定する食器洗浄モード設定手段と、
食品を解凍させる食品解凍モードを設定する食品解凍モード設定手段と、
前記食器収納本体に貯めた給湯水を汲み上げて噴出する給湯水噴出手段と、
前記食器収納本体に貯めた給湯水を加熱する加熱手段と、
前記食品解凍モードが設定された場合に、前記加熱手段により前記給湯水を食品解凍設定温度に加熱させ、前記給湯水噴出手段を駆動させる制御手段と、
を有することを特徴とする食器洗浄機。
【請求項２】
請求項１に記載する食器洗浄機において、
前記食品解凍設定温度を食品に応じて変更する
ことを特徴とする食器洗浄機。
【請求項３】
請求項１又は請求項２に記載する食器洗浄機において、
前記食器収納本体に貯められた給湯水の温度を測定する温度センサを有し、
前記制御手段が、前記食器収納本体に貯めた給湯水に冷凍食品を入れられた後、前記温度センサの温度測定値が下げ止まってから、前記加熱手段により前記給湯水を加熱し、前記温度測定値が下げ止まった時点から前記給湯水を前記食品解凍設定温度まで加熱する時点までの時間から前記冷凍食品を解凍する時間を設定する
ことを特徴とする食器洗浄機。
【請求項４】
請求項１乃至請求項３の何れか１つに記載する食器洗浄機において、
前記熱源で加熱された給湯水を前記食品解凍設定温度に温度調整して前記食器収納本体に供給する温度調整手段を有する
ことを特徴とする食器洗浄機。
【発明の詳細な説明】
【技術分野】
【０００１】
本発明は、食器を洗浄する食器洗浄機に関する。
【背景技術】
【０００２】
食器を洗浄する食器洗浄機は、一般家庭にも広く普及し、新築物件には食器洗浄機を内蔵するシステムキッチンが採用されることが多くなっている。例えば、特許文献１には、上部側から冷凍物を解凍する解凍室と、食器類を乾燥する食器類乾燥室と、まな板を洗浄乾燥するまな板洗浄乾燥室を備え、まな板乾燥室から食器類乾燥室を介して解凍室に温度の高い温風を巡回させることにより、冷凍食品を解凍させることが記載されている。
【先行技術文献】
【特許文献】
【０００３】
【特許文献１】特願２００７−３７６８６号公報
【発明の概要】
【発明が解決しようとする課題】
【０００４】
しかしながら、従来の解凍機能付き食器洗浄機は、食器類乾燥室と別に解凍室を設けている。そのため、従来の解凍機能付き食器乾燥機は、食器洗浄のみを行う食器洗浄機よりも大型になってしまった。一方、解凍機能付き食器洗浄機のサイズを食器洗浄のみを行う食器洗浄機と同サイズにしようとすると、食器類乾燥室が狭くなって、使い勝手が悪くなる。また、従来の解凍機能付き食器洗浄機は、解凍室が食器類乾燥室より狭く、解凍できる冷凍食品の量が少なかった。
【０００５】
また、従来の解凍機能付き食器洗浄機は、解凍室に置いた冷凍食品に温風を当てて解凍するので、温風の当たり具合や温風の温度が冷凍食品の場所によって異なっていた。そのため、特許文献１記載の食器洗浄機は、高温の温風がよく当たる場所では冷凍食品に火が通り、温風が殆ど当たらない場所では解凍されないといった加熱ムラを生じていた。
【０００６】
本発明は、上記問題点を解決するためになされたものであり、洗浄する食器と同じ場所に冷凍食品を置き、おいしく解凍することができる食器洗浄機を提供することを目的とする。
【課題を解決するための手段】
【０００７】
本発明の一態様は、次のような構成を有している。
（１）食器を収納する食器収納本体に熱源で加熱された給湯水を供給して前記食器を洗浄する食器洗浄機において、食器を洗浄する食器洗浄モードを設定する食器洗浄モード設定手段と、食品を解凍させる食品解凍モードを設定する食品解凍モード設定手段と、前記食器収納本体に貯めた給湯水を汲み上げて噴出する給湯水噴出手段と、前記食器収納本体に貯めた給湯水を加熱する加熱手段と、前記食品解凍モードが設定された場合に、前記加熱手段により前記給湯水を食品解凍設定温度に加熱させ、前記給湯水噴出手段を駆動させる制御手段と、を有する。
尚、熱源には、給湯器や暖房機の熱源、あるいは、発電機等の熱源機が含まれる。
【０００８】
（２）（１）に記載の構成において、前記食品解凍設定温度を食品に応じて変更することが望ましい。
【０００９】
（３）（１）又は（２）に記載の構成において、前記食器収納本体に貯められた給湯水の温度を測定する温度センサを有し、前記制御手段が、前記食器収納本体に貯めた給湯水に冷凍食品を入れられた後、前記温度センサの温度測定値が下げ止まってから、前記加熱手段により前記給湯水を加熱し、前記温度測定値が下げ止まった時点から前記給湯水を前記食品解凍設定温度まで加熱する時点までの時間から前記冷凍食品を解凍する時間を設定することが望ましい。
【００１０】
（４）（１）乃至（３）の何れか１つに記載の構成において、前記熱源で加熱された給湯水を前記食品解凍設定温度に温度調整して前記食器収納本体に供給する温度調整手段を有することが望ましい。
【発明の効果】
【００１１】
上記構成の食器洗浄機によれば、洗浄する食器と同じ場所に冷凍食品を置き、おいしく解凍することができる。
【図面の簡単な説明】
【００１２】
【図１】本発明の第１実施形態に係る食器洗浄機の概略構成図である。
【図２】図１に示す食器洗浄機の制御ブロック図である。
【図３】本発明の第２実施形態に係る食器洗浄機の概略構成図である。
【発明を実施するための形態】
【００１３】
以下に、本発明に係る食器洗浄機の実施形態について図面に基づいて説明する。
【００１４】
（第１実施形態）
図１は、本発明の第１実施形態に係る食器洗浄機１Ａの概略構成図である。図２は、図１に示す食器洗浄機１Ａの制御ブロック図である。以下の説明では、図１を用いて食器洗浄機１Ａの概略構成を説明した後、図２を用いて制御手段１１の電気的構成を説明し、その後、食器洗浄機１Ａの動作を説明する。
【００１５】
＜食器洗浄機１Ａの概略構成＞
図１に示す食器洗浄機１Ａは、食器を収納する食器収納本体２がシステムキッチンにスライド可能に取り付けられている。食器収納本体２は、前面２ａに、食器洗浄機１Ａを操作するための操作パネル１４が設けられている。
【００１６】
操作パネル１４には、食器を洗浄する食器洗浄モードを設定する食器洗浄モード設定手段１５ａと、冷凍食品を解凍する食品解凍モードを設定する食品解凍モード設定手段１５ｂと、食器洗浄動作状態を表示する表示ランプ１６ａと、食品解凍動作状態を表示する表示ランプ１６ｂと、電源をオン・オフする電源スイッチ１７が設けられている。更に、操作パネル１４には、食品解凍モードが設定された場合に解凍用給湯水の温度を設定する食品解凍温度設定手段１８と、食品解凍温度設定手段１８により設定された食品解凍設定温度を表示する食品解凍設定温度表示手段２１が設けられている。
【００１７】
食器洗浄機１Ａは、給湯水の排水を制御する排水制御手段２４と、食器収納本体２に貯めた給湯水を汲み上げて噴出する給湯水噴出手段２５と、暖房給湯器３０から食器収納本体２へ供給する給湯水を制御する給湯水供給手段２７と、食器収納本体２に貯めた給湯水や食器収納本体２の空気を加熱するように発熱するヒータ２６を備える。食器収納本体２は、前面２ａに食器収納本体２内の空気を外部に排気する排気口２ｂが設けられている。そして、食器収納本体２には、食器収納本体２に貯められた給湯水の温度を測定する温度センサ３１が設けられている。このような食器洗浄機１Ａは、制御手段１１により動作を制御される。
【００１８】
＜制御手段１１の電気的構成＞
図２に示すように、制御手段１１は、データの加工・演算を行うＣＰＵ（中央演算処理装置）１１ａと、データやプログラムを記憶するメモリ１１ｂと、データの入出力を制御する入出力インターフェース１１ｃを備える周知のマイクロコンピュータである。制御手段１１は、暖房給湯器３０と、食器洗浄モード設定手段１５ａと、食品解凍モード設定手段１５ｂと、表示ランプ１６ａ，１６ｂと、電源スイッチ１７と、食品解凍温度設定手段１８と、食品解凍設定温度表示手段２１と、排水制御手段２４と、給湯水噴出手段２５と、ヒータ２６と、給湯水供給手段２７と、温度センサ３１が、入出力インターフェース
１１ｃに接続されている。
【００１９】
＜食器洗浄機１Ａの動作説明＞
上記構成の食器洗浄機１Ａは、操作パネル１４に設定されたモードに応じて、食器洗浄又は食品解凍を行う。
【００２０】
＜食器洗浄機能＞
食器を洗浄する場合には、ユーザは、食器収納本体２を引き出して、食器を食器かごに収納した後、食器収納本体２を押し戻してロックする。そして、ユーザは、電源スイッチ１７をオンして、制御手段１１を起動させる。その後、ユーザは、食器洗浄モード設定手段１５ａを操作して食器洗浄モードを設定する。すると、制御手段１１は、メモリ１１ｂから食器洗浄用プログラムを読み出して実行する。
【００２１】
具体的には、制御手段１１は、表示ランプ１６ａに食器洗浄実行表示をさせた後（たとえば表示ランプ１６ａを連続点灯させた後）、排水制御手段２４により排水口を閉じた状態で、給湯水供給手段２７に給湯水を食器収納本体２へ供給させる。制御手段１１は、食器収納本体２に給湯水が所定量貯められたら、給湯水噴出手段２５を駆動させ、給湯水を汲み上げて食器にかけることにより食器を洗浄する。このとき、制御手段１１は、ヒータ２６により給湯水の温度を食器洗浄に適した温度に調整する。その後、制御手段１１は、排水制御手段２４に排水口を開かせ、給湯水を排水する。
【００２２】
食器洗浄工程が終了したら、制御手段１１は、洗浄工程と同様にして、食器のすすぎ洗いを行う。すすぎ洗い工程では、制御手段１１は、食器を除菌すると共に次の乾燥工程の効率を上げるために、ヒータ２６により給湯水を食器洗浄工程時より高温に加熱する。
【００２３】
すすぎ工程を終了すると、制御手段１１は、ヒータ２６により食器収納本体２内を加熱し、食器に付着した水分を蒸発させる。制御手段１１は、食器洗浄モードでは、蒸気は排気口２ｂを介して外気に排出される。制御手段１１は、乾燥工程が終了すると、その旨をブザー音で知らせると共に、表示ランプ１６ａに食器洗浄終了表示をさせる（例えば表示ランプ１６ａを消灯させる）。
【００２４】
＜食品解凍機能＞
冷凍食品を解凍させる場合、ユーザは、食器収納本体２に冷凍食品をいれずに、電源スイッチ１７をオンする。これにより、制御手段１１が起動する。そして、ユーザは、食品解凍モード設定手段１５ｂを操作して食品解凍モードを設定する。すると、制御手段１１は、メモリ１１ｂに記憶されている食品解凍用プログラムを実行する。
【００２５】
具体的には、制御手段１１は、表示ランプ１６ｂに食品解凍準備表示をさせた後（例えば表示ランプ１６ｂをゆっくり点滅させた後）、排水制御手段２４に排水口を閉じさせる。そして、制御手段１１は、給湯水供給手段２７に暖房給湯器３０で加熱された給湯水を食器収納本体２へ供給させ、給湯水を食器収納本体２に貯め始める。制御手段１１は、図示しない湯量センサや図示しない流量計により食器収納本体２に所定量の給湯水が貯め
たことを検知すると、食品解凍準備が完了したことをユーザに、ブザー音や表示ランプ１６ｂの食品解凍準備完了表示（例えば表示ランプ１６ｂを早く点滅させる）により知らせる。
【００２６】
ユーザは、食品解凍準備が完了したことを確認したら、食器収納本体２をシステムキッチンから引き出し、油脂が食器収納本体２に出ないようにジッパー付きの袋に入れて密封された冷凍食品を食器収納本体２に入れる。そして、ユーザは、食器収納本体２をロックした後、食品解凍モード設定手段１５ｂを操作して食品解凍を実行させる。
【００２７】
制御手段１１は、表示ランプ１６ｂに食品解凍実行表示をさせる（例えば表示ランプ１６ｂを連続点灯させる）。食器収納本体２に貯めた給湯水に冷凍食品を入れると、給湯水の温度が急激に低下する。そこで、制御手段１１は、温度センサ３１の温度測定値を入力し、給湯水の温度変化を監視する。制御手段１１は、給湯水の温度が下げ止まると、ヒータ２６を駆動し、給湯水を食品解凍設定温度（例えば５０℃）まで加熱する。制御手段１１は、給湯水の温度が下げ止まった時点から、給湯水が食品解凍設定温度に達する時点までの時間から、食器収納本体２に入れられた食品の質量を計算する。そして、制御手段１１は、計算した食品の質量に応じて解凍時間を設定する。
【００２８】
制御手段１１は、設定した解凍時間、給湯水噴出手段２５により食器収納本体２に貯めた給湯水を汲み上げては噴出し、まとまった量の給湯水を冷凍食品に対して上下・左右の多方向から繰り返し勢いよく掛け流す。このとき、冷凍食品は、食品解凍設定温度の給湯水の中で揺すられているのと似た状態になる。これは、解凍対象が同一姿勢を保つ電子レンジによる解凍や温風による解凍と大きく異なる点である。よって、冷凍食品は、表面に強膜が生成されにくく、電子レンジや温風を用いる解凍よりも加熱ムラを生じにくい。
【００２９】
しかも、制御手段１１は、食品解凍モードを実行する間、温度センサ３１の温度測定値を食品解凍設定温度に一致させるようにヒータ２６を駆動し、給湯水の温度を食品解凍設定温度に維持し続ける。そのため、冷凍食品は、室温や常温水より高温の食品解凍設定温度に加熱された給湯水を常時かけられ、あたかも食品解凍設定温度の給湯水に浸けられたような状態になるため、自然解凍や流水解凍より短時間で解凍される。
【００３０】
このように、冷凍食品は、解凍中に食品解凍設定温度の給湯水を満遍なく掛けられて短時間で解凍されるので、解凍中に組織が壊され難く、旨味成分を含むドリップを生じにくい。
【００３１】
制御手段１１は、設定した解凍時間が経過すると、給湯水噴出手段２５とヒータ２６を停止させる。そして、制御手段１１は、排水制御手段２４に排水口を開かせ、給湯水を排水する。その後、制御手段１１は、ブザー音を鳴らすと共に、表示ランプ１６ｂに食品解凍終了表示をさせ（例えば表示ランプ１６ｂを消灯させ）、解凍した食品を取り出すことをユーザに促す。その後、制御手段１１は、電源スイッチ１７を自動的にオフする。
【００３２】
以上説明したように、食器洗浄機１Ａは、食器洗浄する場所に冷凍食品を置いて冷凍食品に給湯水をかけて解凍するので、食器収納本体２と別に解凍室を設ける必要がなく、食器洗浄のみを行う食器洗浄機１Ａと同じサイズで、冷凍食品を解凍する機能を付加できる。また、食器洗浄機１Ａは、食器収納本体２に冷凍食品を置き、食品解凍モードを設定すれば、食品解凍設定温度の給湯水を冷凍食品に繰り返し続け、あたかも食品解凍設定温度の湯に冷凍食品を浸けたようにして冷凍食品を解凍させるので、加熱ムラや旨味成分を含むドリップを生じさせずに冷凍食品を短時間でおいしく解凍させることができる。
【００３３】
また、食器洗浄機１Ａは、食器収納本体２に冷凍食品を入れるので、食器類乾燥室と別に解凍室を設けた従来の解凍機能付き食器乾燥機より大量の冷凍食品を一度に解凍することができる。
【００３４】
よって、食器洗浄機１Ａによれば、洗浄する食器と同じ場所に冷凍食品を置き、おいしく解凍することができる。
【００３５】
ところで、冷凍食品に適した食品解凍設定温度は、食品の種類によって異なる。例えば、冷凍した葉物野菜は、厚みのある肉より、食品解凍設定温度を低くしても解凍できる。食器洗浄機１Ａは、食品解凍温度設定手段１８を操作することにより食品に応じて食品解凍設定温度を変更するので、食品に適した食品解凍設定温度で冷凍食品を解凍させることができる。
【００３６】
そして、上記食器洗浄機１Ａは、給湯水を張った食器収納本体２に冷凍食品を入れることにより給湯水の温度が下げ止まった時点からヒータ２６で給湯水を食品解凍設定温度まで加熱し、給湯水の温度が下げ止まった時点から給湯水を食品解凍設定温度まで加熱し終わる時点までの時間から、食器収納本体２に入れられた冷凍食品の量を自動的に計算して解凍時間を設定するので、冷凍食品の量や解凍時間を設定する手間を省くことができる。
【００３７】
（第２実施形態）
続いて、本発明の第２実施形態について説明する。図３は、本発明の第２実施形態に係る食器洗浄機１Ｂの概略構成図である。
【００３８】
図３に示す食器洗浄機１Ｂは、暖房給湯器３０で加熱された給湯水の温度を調整する温度調整手段４１を備える点が第１実施形態の食器洗浄機１Ａと相違する。ここでは、第１実施形態と相違する点を中心に説明し、第１実施形態と共通する構成には、図面と説明に第１実施形態と同一符号を付し、説明を適宜省略する。
【００３９】
温度調整手段４１は、暖房給湯器３０で加熱された給湯水が流れる給湯配管４２と、暖房給湯水で加熱された暖房用温水が循環する熱媒体循環回路４３と、熱媒体循環回路４３に配設されて暖房用温水の流量を制御する第１流体制御弁４４と、熱媒体循環回路４３上に設けられて給湯配管４２に接続する液液熱交換器４５と、液液熱交換器４５と食器収納本体２の給湯水供給口とを接続する接続配管４６と、接続配管４６に配設されて食器収納本体２に供給する給湯水の供給量を制御する第３流体制御弁５１と、接続配管４６の第３流体制御弁５１より上流側に配置される温度センサ５２とを備える。熱媒体循環回路４３は、暖房給湯器３０から液液熱交換器４５へ暖房用温水を供給する熱媒体往き配管４３ａと、液液熱交換器４５から暖房給湯器３０へ暖房用温水を戻す熱媒体戻り配管４３ｂを含む。本実施形態では、第１流体制御弁４４を熱媒体戻り配管４３ｂに配置するが、熱媒体往き配管４３ａに第１流体制御弁４４を配置しても良い。
【００４０】
また、温度調整手段４１は、接続配管４６の液液熱交換器４５と温度センサ５２との間に接続して常温水を供給する給水配管４７と、給水配管４７に配設されて常温水の供給を制御する第２流体制御弁４８を有し、給湯水に常温水を混合できるようになっている。更に、給湯配管４２には、液液熱交換器４５へ供給する給湯水を制御する第４流体制御弁５３が配設されている。このような温度調整手段４１は、制御手段１１により動作を制御される。
【００４１】
このような食器洗浄機１Ｂは、食品解凍モードが設定されると、温度調整手段４１が暖房給湯器３０から供給される給湯水を食品解凍設定温度に調整して食器収納本体２に供給する。
【００４２】
具体的には、制御手段１１は、食品解凍モードが設定されると、第１〜第３流体制御弁４４，４８，５１を弁閉状態にしたまま、第４流体制御弁５３を弁閉状態から弁開状態に切り換え、暖房給湯器３０から液液熱交換器４５へ給湯水を供給する。すると、給湯水が、第３流体制御弁５１まで流れ、温度センサ５２により給湯水の温度を測定する。
【００４３】
制御手段１１は、温度センサ５２の測定値が食品解凍設定温度未満である場合には、第１流体制御弁４４を弁閉状態から弁開状態に切り替え、暖房給湯器３０で８０℃に加熱された暖房用温水を熱媒体循環回路４３に循環させる。これにより、液液熱交換器４５は、暖房用温水の熱で給湯水を加熱する。制御手段１１は、温度センサ５２の温度測定値が食品解凍設定温度に達すると、第３流体制御弁５１を弁閉状態から弁開状態に切り換え、給湯水を食器収納本体２に供給する。
【００４４】
一方、食器洗浄機１Ｂは、制御手段１１が  食品解凍モード設定時に、温度センサ５２の温度測定値が食品解凍設定温度より高温であることを検出すると、給湯水に常温水を混合させるように温度調整手段４１の動作を制御する。
【００４５】
具体的には、制御手段１１は、第１及び第３流体制御弁４４，５１を弁閉させた状態で第２流体制御弁４８を弁閉状態から弁開状態に切り換え、給水配管４７から接続配管４６へ常温水を供給する。制御手段１１は、温度センサ５２の温度測定値が食品解凍設定温度になると、第３流体制御弁５１を弁閉状態から弁開状態に切り換え、給湯水を食器収納本体２に供給する。
【００４６】
尚、温度センサ５２の温度測定値が食品解凍設定温度である場合には、第１及び第２流体制御弁４４，４８を弁閉した状態で第３及び第４流体制御弁５１，５３を弁開し、暖房給湯器３０から食器収納本体２に給湯水をそのまま供給する。
【００４７】
このように食器洗浄機１Ｂは、食品解凍モード設定時に、温度調整手段４１で食品解凍設定温度に温度調整された給湯水を食器収納本体２に供給するので、短時間で食品解凍設定温度の給湯水を食器収納本体２に貯めることが可能である。よって、食器洗浄機１Ｂによれば、食品解凍モードの準備時間を短縮できる。
【００４８】
また、食器洗浄機１Ｂによれば、食品解凍設定温度より低温の給湯水が食器収納本体２に供給されないので、ヒータ２６が消費する電力量を抑制できる。
【００４９】
また、食器洗浄機１Ｂは、給湯水が食品解凍設定温度より高温である場合には、温度調整手段４１が給湯水に常温水を混合させて給湯水を食品解凍設定温度に温度調整するので、高温の湯で冷凍食品を洗浄して冷凍食品に火を通すことがない。
【００５０】
尚、本発明は、上記実施形態に限定されることなく、色々な応用が可能である。
例えば、上記実施形態では、食品解凍動作中にヒータ２６により給湯水の温度を食品解凍設定温度に維持した。これに対して、食品解凍実行中に、制御手段１１が、温度センサ３１の温度測定値が下限しきい値以下となった場合に、排水制御手段２４に給湯水を排水させた後、給湯水供給手段２７又は温度調整手段４１に給湯水を食器収納本体２に供給させることを、数回繰り返すことにより、給湯水の温度を食品解凍設定温度の許容範囲に維持するようにしても良い。
例えば、上記実施形態では、食品に応じて食品解凍設定温度を変更させる食品解凍温度設定手段１８を設けたが、操作パネルに食品群を表示するスイッチを設け、制御手段１１のメモリ１１ｂに食品解凍設定温度を食品群別に記憶させるようにしても良い。この場合、ユーザが食品群を選択すると、制御手段１１が、選択された食品群に応じた食品解凍設定温度をメモリ１１ｂから読み出し、食品解凍設定温度を自動的に変更する。
例えば、上記実施形態では、操作パネル１４に押下式のスイッチを設けたが、操作パネル１４にタッチパネルを設け、当該タッチパネルに設定機能や表示機能を持たせるようにしても良い。
例えば、上記実施形態では、ヒータ２６により加熱手段を構成したが、暖房用温水が循環して発熱する熱交換コイルなどにより加熱手段を構成し、ヒータ２６の電力消費量を低減させても良い。
【符号の説明】
【００５１】
１Ａ，１Ｂ  食器洗浄機
２      食器収納本体
１１    制御手段
１５ａ  食器洗浄モード設定手段
１５ｂ  食品解凍モード設定手段
１８    食品解凍温度設定手段
２５    給湯水噴出手段
２６    ヒータ（加熱手段の一例）
４１    温度調整手段
【図１】
2015084815.tif 000003
【図２】
2015084815.tif 000004
【図３】
2015084815.tif 000005